(57)【要約】【課題】無菌充填に適した、紙ブランク材を用いて作製されるフランジ付容器を提供する。【解決手段】フランジ付容器１は、軸方向ｄ１の一側に開口２６が形成された筒状の胴部２と、筒状の胴部２の軸方向ｄ１の他側から当該胴部２に接続された底部３と、胴部２の一側の開口２６に挿入され、且つ、胴部２の軸方向ｄ１と交差する方向に沿って当該胴部２から外方に延び出す樹脂フランジ部４０と、を備える。樹脂フランジ部４０は、一側の開口２６を形成する胴部２の一方の縁部２ｃを覆うようにして胴部２に取り付けられておいる。胴部２と底部３とは、筒状に形成された紙ブランク材２０から区画されていて、紙ブランク材２０には、当該紙ブランク材２０を折り曲げて胴部２と底部３とを区画する際の折曲線となる罫線２８が形成されている。【選択図】図１
2015214368.tif 000002
【特許請求の範囲】
【請求項１】
液体状の内容物を収容するためのフランジ付容器であって、
軸方向の一側に開口が形成された筒状の胴部と、
前記筒状の胴部の軸方向の他側から当該胴部に接続された底部と、
前記胴部の前記一側の開口に挿入され、且つ、前記胴部の前記軸方向と交差する方向に沿って当該胴部から外方に延び出す樹脂フランジ部と、
を備え、
前記樹脂フランジ部は、前記一側の開口を形成する前記胴部の一方の縁部を覆うようにして前記胴部に取り付けられており、
前記胴部と前記底部とは、筒状に形成された紙ブランク材から区画されていて、
前記紙ブランク材には、当該紙ブランク材を折り曲げて前記胴部と前記底部とを区画する際の折曲線となる罫線が形成されている、フランジ付容器。
【請求項２】
前記樹脂フランジ部は、前記胴部及び前記底部を形成する前記紙ブランク材と共にインサート成形されて、前記胴部に取り付けられている、請求項１に記載のフランジ付容器。
【請求項３】
前記樹脂フランジ部は、前記胴部に溶着されている、請求項１に記載のフランジ付容器。
【請求項４】
前記樹脂フランジ部は、前記胴部の前記一側の開口に挿入され、前記胴部の内面に沿った形状をもつ中空の挿入部分と、
前記一側の開口に挿入された前記挿入部分から前記胴部の前記軸方向に直交する方向に延び出して、前記一側の開口を形成する前記胴部の一方の縁部を覆う鍔部分と、
を有する、請求項１乃至３のいずれか一項に記載のフランジ付容器。
【請求項５】
前記樹脂フランジ部の前記挿入部分の内面は、前記胴部の前記軸方向に沿って成形されている、請求項４に記載のフランジ付容器。
【請求項６】
前記紙ブランク材は、前記胴部の外面側から内面側に向かって、第１シーラント層と、紙層と、バリア層と、第２シーラント層と、をこの順で含んでいる、請求項１乃至５のいずれか一項に記載のフランジ付容器。
【請求項７】
前記紙ブランク材は、当該紙ブランク材の２つの端部領域を重ね合わせて接合することにより筒状に形成され、
前記２つの端部領域のうち、前記紙ブランク材が筒状に形成された状態において内方側に位置するようになる端部領域の少なくとも一部は、外方側に折り返されており、
前記端部領域の折り返された部分は、折り返された状態で内側となる面が削り取られて他の部分よりも薄くなっている、請求項１乃至６のいずれか一項に記載のフランジ付容器。
【請求項８】
前記底部の内面側に、前記紙ブランク材の縁部が露出していない、請求項１乃至７のいずれか一項に記載のフランジ付容器。
【請求項９】
底部と胴部とを有する液体状の内容物を収容するためのフランジ付容器をなすようになるフランジ付容器材料であって、
筒状に形成された紙ブランク材であって、当該紙ブランク材の軸方向の一側及び他側にそれぞれ開口が形成された紙ブランク材と、
前記紙ブランク材の前記一側の開口に挿入され、且つ、前記紙ブランク材の前記軸方向と交差する方向に沿って当該紙ブランク材から外方に延び出す樹脂フランジ部と、
を備え、
前記樹脂フランジ部は、前記一側の開口を形成する前記紙ブランク材の一方の縁部を覆うようにして前記紙ブランク材に取り付けられており、
前記紙ブランク材は、前記一側の開口を形成する胴形成部と、前記他側の開口を形成する底形成部と、を有し、
前記紙ブランク材の前記底形成部には、当該紙ブランク材を折り曲げて前記フランジ付容器の前記底部を形成する際の折曲線となる罫線が形成されていて、
前記紙ブランク材を前記罫線に沿って折り曲げると、当該紙ブランク材が前記底部と前記胴部とに区画されて前記フランジ付容器が形成される、フランジ付容器材料。
【請求項１０】
前記筒状に形成された紙ブランク材は、当該紙ブランク材の前記軸方向に沿って前記一側から他側へ向けて先細になっている、請求項９に記載のフランジ付容器材料。
【請求項１１】
請求項９または１０に記載のフランジ付容器材料を使用して内容物を無菌充填されたフランジ付容器を製造する方法であって、
前記罫線に沿って前記紙ブランク材を折り曲げて、前記胴部と前記底部とを前記紙ブランク材から形成して前記フランジ付容器を作製する工程と、
前記フランジ付容器に内容物を充填する工程と、
前記フランジ付容器の前記樹脂フランジ部に蓋材を接合させて、当該フランジ付容器を密閉する工程と、
を備え、
内容物を充填する工程に先立って前記フランジ付容器を殺菌する工程、及び、前記フランジ付容器を作製する工程に先立って前記フランジ付容器材料を殺菌する工程、の少なくとも一方をさらに備える、内容物を無菌充填されたフランジ付容器を製造する方法。
【発明の詳細な説明】
【技術分野】
【０００１】
本発明は、液体状の内容物を収容するためのフランジ付容器及びこのフランジ付容器を作製するためのフランジ付容器材料に関する。また、本発明は、このフランジ付容器材料を用いたフランジ付容器の製造方法に関する。
【背景技術】
【０００２】
液体状の内容物を収容する容器として、紙ブランク材から作製される容器が広く利用に供されている（例えば特許文献１参照）。紙ブランク材から作製される容器は、軽量且つ安価に作製されることから、液体状の内容物を収容するための容器として好適に用いられる。容器に収容される内容物として、例えば、乳飲料、果実飲料、アルコール類などの飲料食品が挙げられる。
【０００３】
紙ブランク材から作製される容器に内容物として飲料食品を収容して保管する場合、内容物の腐敗を防ぐために無菌充填を行う必要がある。典型的には、無菌化された充填室内で、容器及び蓋材に殺菌剤として例えば過酸化水素を噴霧して、当該過酸化水素の酸化力によって容器及び蓋材を殺菌する。その後、充填室内で殺菌処理された容器に内容物を充填した後蓋材を接合させて、当該容器を密閉する。
【先行技術文献】
【特許文献】
【０００４】
【特許文献１】特開２０１３−２３７４７９号公報
【発明の概要】
【発明が解決しようとする課題】
【０００５】
典型的な紙ブランク材から作製される容器として、紙コップが挙げられる。紙コップは、紙ブランク材を折り返すことでフランジ部や底部を形成している。このため、紙コップに殺菌剤を噴霧しても、折り返しにて形成されたフランジ部や底部に殺菌剤が到達することができない陰となる部分ができてしまい、紙コップを充分に殺菌することができなかった。したがって、従来の紙コップは、無菌充填には適していない。
【０００６】
本発明は、このような点を考慮してなされたものであり、無菌充填に適した、紙ブランク材を用いて作製されるフランジ付容器またはこのフランジ付容器を作製するためのフランジ付容器材料を提供することを目的とする。また本発明は、そのようなフランジ付容器材料を使用して内容物を無菌充填されたフランジ付容器を製造する方法を提供することを目的とする。
【課題を解決するための手段】
【０００７】
本発明によるフランジ付容器は、液体状の内容物を収容するためのフランジ付容器であって、
軸方向の一側に開口が形成された筒状の胴部と、
前記筒状の胴部の軸方向の他側から当該胴部に接続された底部と、
前記胴部の前記一側の開口に挿入され、且つ、前記胴部の前記軸方向と交差する方向に沿って当該胴部から外方に延び出す樹脂フランジ部と、
を備え、
前記樹脂フランジ部は、前記一側の開口を形成する前記胴部の一方の縁部を覆うようにして前記胴部に取り付けられており、
前記胴部と前記底部とは、筒状に形成された紙ブランク材から区画されていて、
前記紙ブランク材には、当該紙ブランク材を折り曲げて前記胴部と前記底部とを区画する際の折曲線となる罫線が形成されている。
【０００８】
本発明によるフランジ付容器において、前記樹脂フランジ部は、前記胴部及び前記底部を形成する前記紙ブランク材と共にインサート成形されていてもよい。
【０００９】
本発明によるフランジ付容器において、前記樹脂フランジ部は、前記胴部に溶着されていてもよい。
【００１０】
本発明によるフランジ付容器において、前記樹脂フランジ部は、前記胴部の前記一側の開口に挿入され、前記胴部の内面に沿った形状をもつ中空の挿入部分と、
前記一側の開口に挿入された前記挿入部分から前記胴部の前記軸方向に直交する方向に延び出して、前記一側の開口を形成する前記胴部の一方の縁部を覆う鍔部分と、
を有していてもよい。
【００１１】
本発明によるフランジ付容器において、前記樹脂フランジ部の前記挿入部分の内面は、前記胴部の前記軸方向に沿って成形されていてもよい。
【００１２】
本発明によるフランジ付容器において、前記紙ブランク材は、前記胴部の外面側から内面側に向かって、第１シーラント層と、紙層と、バリア層と、第２シーラント層と、をこの順で含んでいてもよい。
【００１３】
本発明によるフランジ付容器において、前記紙ブランク材は、当該紙ブランク材の２つの端部領域を重ね合わせて接合することにより筒状に形成され、
前記２つの端部領域のうち、前記紙ブランク材が筒状に形成された状態において内方側に位置するようになる端部領域の少なくとも一部は、外方側に折り返されており、
前記端部領域の折り返された部分は、折り返された状態で内側となる面が削り取られて他の部分よりも薄くなっていてもよい。
【００１４】
本発明によるフランジ付容器において、前記底部の内面側に、前記紙ブランク材の縁部が露出していなくてもよい。
【００１５】
本発明によるフランジ付容器材料は、底部と胴部とを有する液体状の内容物を収容するためのフランジ付容器をなすようになるフランジ付容器材料であって、
筒状に形成された紙ブランク材であって、当該紙ブランク材の軸方向の一側及び他側にそれぞれ開口が形成された紙ブランク材と、
前記紙ブランク材の前記一側の開口に挿入され、且つ、前記紙ブランク材の前記軸方向と交差する方向に沿って当該紙ブランク材から外方に延び出す樹脂フランジ部と、
を備え、
前記樹脂フランジ部は、前記一側の開口を形成する前記紙ブランク材の一方の縁部を覆うようにして前記紙ブランク材に取り付けられており、
前記紙ブランク材は、前記一側の開口を形成する胴形成部と、前記他側の開口を形成する底形成部と、を有し、
前記紙ブランク材の前記底形成部には、当該紙ブランク材を折り曲げて前記フランジ付容器の前記底部を形成する際の折曲線となる罫線が形成されていて、
前記紙ブランク材を前記罫線に沿って折り曲げると、当該紙ブランク材が前記底部と前記胴部とに区画されて前記フランジ付容器が形成される。
【００１６】
本発明によるフランジ付容器材料において、前記筒状に形成された紙ブランク材は、当該紙ブランク材の前記軸方向に沿って前記一側から他側へ向けて先細になっていてもよい。
【００１７】
本発明による内容物を無菌充填されたフランジ付容器を製造する方法は、前記いずれかの特徴をもつフランジ付容器材料を使用して内容物を無菌充填されたフランジ付容器を製造する方法であって、
前記罫線に沿って前記紙ブランク材を折り曲げて、前記胴部と前記底部とを前記紙ブランク材から形成して前記フランジ付容器を作製する工程と、
前記フランジ付容器に内容物を充填する工程と、
前記フランジ付容器の前記樹脂フランジ部に蓋材を接合させて、当該フランジ付容器を密閉する工程と、
を備え、
内容物を充填する工程に先立って前記フランジ付容器を殺菌する工程、及び、前記フランジ付容器を作製する工程に先立って前記フランジ付容器材料を殺菌する工程、の少なくとも一方をさらに備える。
【発明の効果】
【００１８】
本発明によれば、無菌充填に適した、紙ブランク材を用いて作製されるフランジ付容器またはこのフランジ付容器を作製するためのフランジ付容器材料を提供することができる。また、本発明によれば、前記フランジ付容器材料を使用して内容物を無菌充填されたフランジ付容器を製造することができる。
【図面の簡単な説明】
【００１９】
【図１】本発明の一実施の形態によるフランジ付容器材料を示す斜視図。
【図２】図１に示す線II−IIに沿ったフランジ付容器材料の断面を示す断面図。
【図３】図１に示すフランジ付容器材料から作製されるフランジ付容器の一例を示す斜視図。
【図４】図３に示すフランジ付容器の底部を示す斜視図。
【図５】図３に示す線Ｖ−Ｖに沿ったフランジ付容器の断面を示す概略断面図。
【図６】図１に示す線VI−VIに沿ったフランジ付容器材料の断面を示す断面図。
【図７】図１に示すフランジ付容器材料を構成する紙ブランク材を示す平面図。
【図８】図１に示すフランジ付容器材料の紙ブランク材の積層方向に沿った断面図。
【図９】図３に示すフランジ付容器材料を積み重ねた状態を示す断面図。
【図１０】フランジ付容器材料を構成する紙ブランク材の他の例を示す平面図。
【図１１】図１０に示す紙ブランク材を折り曲げて底部を区画する過程を示す斜視図。
【図１２】図１０に示すフランジ付容器材料から作製されるフランジ付容器の底部を示す斜視図。
【図１３】フランジ付容器材料を構成する紙ブランク材の他の例を示す平面図。
【図１４】図１３に示す紙ブランク材を折り曲げて底部を区画する過程を示す斜視図。
【図１５】図１４に示す紙ブランク材から得られたフランジ付容器の底部を示す斜視図。
【発明を実施するための形態】
【００２０】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２１】
図１乃至図９は、本発明による一実施の形態を説明するための図である。このうち図１及び図２は、本発明の一実施の形態によるフランジ付容器材料１０を示す斜視図及び断面図である。図３及び図４は、図１に示すフランジ付容器材料から作製されるフランジ付容器１の一例を示す斜視図である。
【００２２】
図１に示すフランジ付容器材料１０は、胴部２と底部３とを有する図３に示す液体状の内容物を収容するためのフランジ付容器１をなすようになる材料である。図１に示すフランジ付容器材料１０は、後述するように、噴霧される殺菌剤に対して陰となるような部分がないように構成されている。このため、フランジ付容器材料１０は、噴霧される殺菌剤によって充分に殺菌され得る。殺菌されたフランジ付容器材料１０を折り曲げて胴部２と底部３とを区画することにより、図１に示すフランジ付容器１が作製される。作製されたフランジ付容器１に、充填室内で内容物を充填した後不図示の蓋材を接合させて、当該フランジ付容器１を密閉する。これにより、フランジ付容器１に内容物を無菌充填することができる。初めに、このような機能をもつフランジ付容器材料１０にて作製されるフランジ付容器１について説明する。
【００２３】
（フランジ付容器）
図３及び図４に示すように、フランジ付容器１は、軸方向ｄ１の一側に開口２６が形成された筒状の胴部２と、筒状の胴部２の軸方向ｄ１の他側から当該胴部２に接続された四角板状の底部３と、を備えている。胴部２は、底部３の上方を環状に取り囲み、胴部２と底部３とによって囲まれる空間内に内容物を収容する収容空間４が規定されている。これら胴部２と底部３とは、紙ブランク材２０を折り曲げることで作製される。具体的には、紙ブランク材２０を折り曲げて、折曲線に沿って胴部２と底部３とを紙ブランク材２０から区画することにより形成される。図４に示す例では、底部３がいわゆるブリックタイプの容器で利用されるフラットボトム型に折り曲げられた例を示しているが、このような例に限定されない。液状物を収容する紙製の容器で一般に利用される底部の形態であれば、底部３として他の形態を適用することも可能である。
【００２４】
図５に、フランジ付容器１の概略断面図を示す。図５に示すように、胴部２は、収容空間４側を向く内面２ａと、内面２ａに対向し外方側を向く外面２ｂと、を含んでいる。胴部２の軸方向ｄ１における一側に位置する一縁部２ｃに囲まれる領域に上述した開口２６が形成されている。図３乃至図５に示す例では、軸方向ｄ１が上下方向と平行となっており、一縁部２ｃ側となる軸方向ｄ１における一側が上方に対応し、軸方向ｄ１における他側が下方に対応する。一方、底部３は、収容空間４側を向く内面３ａと、内面３ａに対向し外方側を向く外面３ｂと、を含んでいる。
【００２５】
さらに、フランジ付容器１は、一側の開口２６を形成する胴部２の一縁部２ｃを覆うようにして胴部２に取り付けられた樹脂フランジ部４０を備えている。樹脂フランジ部４０には、フランジ付容器１に内容物を充填した後に不図示の蓋材が接合されるようになっている。樹脂フランジ部４０に蓋材を接合することにより、フランジ付容器１を密閉して内容物を保管することが可能となる。樹脂製の樹脂フランジ部４０は、紙製の樹脂フランジ部に比べて、平滑に成形することができるため、樹脂製の樹脂フランジ部４０に蓋材を隙間なく安定して接合することができる。
【００２６】
図５に示すように、中空の樹脂フランジ部４０は、一側の開口２６に挿入され、且つ、軸方向ｄ１と交差する方向に沿って当該胴部２から外方に延び出している。
【００２７】
具体的な構成として、樹脂フランジ部４０は、一側の開口２６に挿入された中空の挿入部分４１と、挿入部分４１に接続された中空の鍔部分４２と、を有している。挿入部分４１は、筒状に成形され、胴部２の内面２ａに沿った形状をもつ。この挿入部分４１は、収容空間４側を向く内面４１ａと、当該内面４１ａに対向し且つ胴部２側を向く外面４１ｂと、を有している。図５に示すように、挿入部分４１の内面４１ａは、軸方向ｄ１に沿って成形されている。一方、挿入部分４１の外面４１ｂは、軸方向ｄ１に沿って一側から他側へ向けて先細になっている。したがって、軸方向ｄ１に直交する各断面における挿入部分４１の厚みが、当該断面の位置が軸方向ｄ１に沿って鍔部分４２から離間するほど、薄くなっていく。なお、挿入部分４１の厚みとは、軸方向ｄ１に直交する各断面における挿入部分４１の外面４１ｂと内面４１ａとの間の距離に相当する。
【００２８】
また、噴霧される殺菌剤に対して陰となる部分が形成されないよう、挿入部分４１の外面４１ｂと胴部２の内面２ａとの間に隙間が形成されないことが好ましい。そこで、本実施の形態では、後述するようにして、樹脂フランジ部４０を、胴部２及び底部３を形成する紙ブランク材２０と共にインサート成形することにより、樹脂フランジ部４０を胴部２に取り付けている。この場合、挿入部分４１の外面４１ｂは、胴部２の内面２ａに対して隙間無く配置される。
【００２９】
一方、挿入部分４１に接続された鍔部分４２は、胴部２の一縁部２ｃを覆い、胴部２の外面２ｂから軸方向ｄ１に直交する方向に延び出している。すなわち、鍔部分４２は、胴部２の内面２ａ側から外面２ｂ側に向かって、当該胴部２から突出している。鍔部分４２が胴部２から突出する長さは、例えば従来の液状物を収容する容器と同様に設定され得る。本実施の形態では、鍔部分４２は、中空の円盤状に形成されており、軸方向ｄ１に直交する平面に沿って延びている。円盤状の鍔部分４２は、軸方向ｄ１に対向する表面４２ａ及び裏面４２ｂを含んでいる。鍔部分４２の表面４２ａは、上述した蓋材が接合される面をなす。したがって、鍔部分４２の表面４２ａは、蓋材と隙間無く接合されてフランジ付容器１を密閉することができるよう、平坦になっているのが好ましい。
【００３０】
一方、鍔部分４２の裏面４２ｂは、胴部２の一縁部２ｃに対面している。噴霧される殺菌剤に対して陰となる部分が形成されないよう、鍔部分４２の裏面４２ｂと胴部２の一縁部２ｃとの間に隙間が形成されないのが好ましい。本実施の形態では、後述するようにして、樹脂フランジ部４０を、胴部２及び底部３を形成する紙ブランク材２０と共にインサート成形することにより、樹脂フランジ部４０を胴部２に取り付けている。このため、鍔部分４２の裏面４２ｂは、胴部２の一縁部２ｃに対して隙間無く配置されている。
【００３１】
（フランジ付容器材料）
上述のように、このようなフランジ付容器１は、図１に示すフランジ付容器材料１０から作製される。図１及び図２に示すように、フランジ付容器材料１０は、筒状に形成された紙ブランク材２０と、紙ブランク材２０に取り付けられた樹脂製の樹脂フランジ部４０と、を備えている。樹脂フランジ部４０は、紙ブランク材２０の軸方向ｄ２における一側の開口２６に挿入され、且つ、軸方向ｄ２と交差する方向に沿って当該紙ブランク材２０から外方に延び出している。
【００３２】
図２に示すように、筒状の紙ブランク材２０に囲まれる空間内に、中空空間Ｓ１が形成されている。紙ブランク材２０は、中空空間Ｓ１側を向く内面２０ａと、内面２０ａに対向し外方側を向く外面２０ｂと、を含んでいる。また、筒状の紙ブランク材２０は、当該紙ブランク材２０の軸方向ｄ２に対向する環状の一縁部２３及び他縁部２４と、を含んでいる。紙ブランク材２０の軸方向ｄ２は、胴部２の軸方向ｄ１と一致し、紙ブランク材２０の一縁部２３は、胴部２の一縁部２ｃと一致する。紙ブランク材２０の一縁部２３に囲まれる領域に一側の開口２６が形成され、紙ブランク材２０の他縁部２４に囲まれる領域に他側の開口２７が形成されている。一側の開口２６及び他側の開口２７は、軸方向ｄ２において中空空間Ｓ１と連通している。図２に示すように、上方に位置する一側の開口２６は、下方に位置する他側の開口２７よりも大きい。
【００３３】
図２に示すように、筒状の紙ブランク材２０は、軸方向ｄ２に沿って一側から他側へ向けて先細になっている。すなわち、軸方向ｄ２に平行な図２に示す断面において紙ブランク材２０にて規定される一対の部分の間隔が、軸方向ｄ２に沿って一側から他側に向かうにつれて狭くなっていく。
【００３４】
また、図１に示すように、紙ブランク材２０は、２つの端部領域Ｅ１、Ｅ２を周方向に重ね合わせて接合することにより筒状に形成されている。図６に、紙ブランク材２０の重なり合った端部領域Ｅ１、Ｅ２の断面を示す。図６に示す例では、重なり合った紙ブランク材２０の端部領域Ｅ１、Ｅ２は、いわゆるスカイブ処理が施されている。具体的には、図６に示すように、２つの端部領域Ｅ１、Ｅ２のうち、紙ブランク材２０が筒状に形成された状態において内方側に位置するようになる端部領域Ｅ１の一部が、外方側に折り返されている。端部領域Ｅ１の折り返された部分Ｅ１ａは、折り返された状態で内側となる面Ｅ１ａ１が削り取られて他の部分よりも薄くなっている。そして、端部領域Ｅ１の折り返された部分Ｅ１ａのうち、折り返された状態で外側となる面Ｅ１ａ２は、重なり合った端部領域Ｅ２に接合されている。このようなスカイブ処理によれば、周方向に重ね合わせて接合された紙ブランク材２０の２つの端部領域Ｅ１、Ｅ２の間に、噴霧される殺菌剤に対して陰となる部分が形成され難くなる。
【００３５】
また、図１及び図２に示すように、筒状の紙ブランク材２０は、当該筒状の紙ブランク材２０の軸方向ｄ２に並べられた筒状の胴形成部２１及び筒状の底形成部２２を有している。軸方向ｄ２において一側に位置する胴形成部２１は、紙ブランク材２０の一縁部２３を含み、一側の開口２６を形成している。軸方向ｄ２において他側に位置する底形成部２２は、紙ブランク材２０の他縁部２４を含み、他側の開口２７を形成している。
【００３６】
図１に示すように、胴形成部２１と底形成部２２とは、紙ブランク材２０を折り曲げる際の折曲線として機能する罫線２８を介して接続されている。罫線２８に沿って紙ブランク材２０を折り曲げると、胴形成部２１は、フランジ付容器１の胴部２をなすようになり、底形成部２２は、フランジ付容器１の底部３をなすようになる。すなわち、紙ブランク材２０を罫線２８に沿って折り曲げると、フランジ付容器１の胴部２と底部３が罫線２８を境界として区画される。罫線２８は、紙ブランク材２０をフラットボトム型に折り曲げて所望の形状のフランジ付容器１の底部３が得られるように、構成されている。なお、罫線２８の配置については後述する。
【００３７】
次に、樹脂フランジ部４０を筒状の紙ブランク材２０に取り付ける方法について述べる。本実施の形態では、樹脂フランジ部４０は、胴部２及び底部３を形成する紙ブランク材２０と共にインサート成形されて、胴部２に取り付けられている。具体的には、紙ブランク材２０を所定の形状からなる成形型内に配置した後、樹脂材料を成形型内に流し込む。流し込まれた樹脂材料が硬化することで樹脂フランジ部４０が筒状の紙ブランク材２０に一体として成形される。一体となった樹脂フランジ部４０と紙ブランク材２０とを成形型から抜き取ることにより、フランジ付容器材料１０が得られる。インサート成形によれば、樹脂フランジ部４０と紙ブランク材２０との間に隙間が形成されないように樹脂フランジ部４０を筒状の紙ブランク材２０に取り付けることができる。
【００３８】
ただし、樹脂フランジ部４０を筒状の紙ブランク材２０に取り付ける方法は、上述した例に限定されない。噴霧される殺菌剤に対して陰となる部分が形成されないように、樹脂フランジ部４０を筒状の紙ブランク材２０に取り付けることができれば、他の方法であってもよい。例えば、予め成形した樹脂フランジ部４０を筒状の紙ブランク材２０に超音波等で溶着してもよい。
【００３９】
（紙ブランク材）
次に、図７を参照して、胴部２及び底部３を形成するための紙ブランク材２０について説明する。図７は、図１に示すフランジ付容器材料１０を構成する紙ブランク材２０を示す平面図である。図７に示すように、紙ブランク材２０は、略扇状の形状を有している。紙ブランク材２０は、互いに対向する一縁部２３及び他縁部２４と、一縁部２３の端部及び他縁部２４の端部の間を延びる側縁部２５ａ及び側縁部２５ｂと、を有している。製函されたときに、側縁部２５ａは、紙ブランク材２０の周方向に重なる端部領域Ｅ１、Ｅ２のうちの内方側に位置する端部領域Ｅ１に含まれる縁部をなし、側縁部２５ｂは、紙ブランク材２０の周方向に重なる端部領域Ｅ１、Ｅ２のうちの外方側に位置する端部領域Ｅ２に含まれる縁部をなす。
【００４０】
紙ブランク材２０の底形成部２２には、底部３の外面を構成する第１主面領域３２及び第２主面領域３３と、底部３の内面を構成する第１折曲面領域３４及び第２折曲面領域３５と、が区画されている。図７に示す例では、側縁部２５ａ側から側縁部２５ｂ側に向かって、第１折曲面領域３４、第１主面領域３２、第２折曲面領域３５及び第２主面領域３３がこの順で配置され、隣り合う領域３２〜３５が縦罫線２８ａによって区画されている。各領域３２〜３５は、製函したときに胴部２と底部３とを区画する折曲線を形成するよう、筒状の紙ブランク材２０の周方向となるべき方向に延びる横罫線２８ｂによって、紙ブランク材２０の胴形成部２１から区画されている。また、各折曲面領域３４、３５には、製函したときに当該折曲面領域３４、３５を谷折りに折り畳むべく、一縁部２３側から他縁部２４側に向かって先細になるＶ字状のＶ罫線２８ｃと、Ｖ罫線２８ｃの頂点から他縁部２４まで延びる縦補助罫線２８ｅと、が形成されている。さらに、各折曲面領域３４、３５のＶ罫線２８ｃの頂点との間を延びるように、横補助罫線２８ｄが形成されている。
【００４１】
このような紙ブランク材２０によれば、先ず、紙ブランク材２０の２つの端部領域Ｅ１、Ｅ２を周方向に重ね合わせて接合し、紙ブランク材２０を筒状に形成する。次に、第１折曲面領域３４及び第２折曲面領域３５を横罫線２８ｂから山折りすると共に、Ｖ罫線２８ｃ及び縦補助罫線２８ｅから谷折りして折り畳む。続いて、第１主面領域３２及び第２主面領域３３を横罫線２８ｂから山折りして、折り畳まれた第１折曲面領域３４及び第２折曲面領域３５に重ねる。第１主面領域３２を横補助罫線２８ｄから谷折りし、各領域３２〜３５をヒートシールする。これにより、フラットボトム型に底部３を製函することができる。なお、作製された底部３の内面３ａ側には、紙ブランク材２０の縁部２３〜２５ｂが露出していない。
【００４２】
なお、図示する例では、隣り合う領域３２〜３５を区画する縦罫線２８ａは、底形成部２２だけでなく、胴形成部２１までも延びている。この場合、縦罫線２８ａに沿って紙ブランク材２０を折り曲げると、胴形成部２１の一部も底形成部２２と共に折り曲げられる。これにより、折り曲げられる紙ブランク材２０にシワや歪みが生じ難くなり、底部３を精度良く形成することに寄与する。また、各罫線２８ａ〜２８ｄの角度や長さは、胴部２や底部３の面形状に対する要求などに応じて適宜設定される。  
【００４３】
（紙ブランク材の層構成）
次に図８を参照して、紙ブランク材２０の層構成の一例について説明する。図８は、紙ブランク材２０の積層方向に沿った断面を示す断面図である。図３に示すように、紙ブランク材２０は、紙層１３３と、紙層１３３よりも内面２０ａ側に配置された第１シーラント層１３６とを、少なくとも含んでいる。図３に示す例では、フランジ付容器１に求められる種々の機能を備えるべく、紙ブランク材２０は、外面２０ｂ側から内面２０ａ側に向かって、第２シーラント層１３１と、紙層１３３と、バリア層１３４と、ポリエステル樹脂層１３５と、第１シーラント層１３６と、をこの順で含んでいる。以下、紙ブランク材２０をなす各層について説明していく。
【００４４】
（シーラント層）
上述のように、紙ブランク材２０は、周方向に部分的に重ねられて、この重なり合った部分をヒートシールされる。このため、紙ブランク材２０は、内面２０ａを構成する層としてシール性を有する第１シーラント層１３６を含んでいる。すなわち、第１シーラント層１３６は、紙ブランク材２０のうち、製函したときに最も中空空間Ｓ１側に位置する層をなす。第１シーラント層１３６を構成する材料としては、低密度ポリエチレン（ＬＬＤＰＥ）、線状低密度ポリエチレン（ＬＬＤＰＥ）などを用いることができる。
【００４５】
さらに、図４に示すフラットボトム型に底部３を作製する場合には、紙ブランク材２０の外面２０ｂを構成する層としてシール性を有する第２シーラント層１３１が設けられる。すなわち、第２シーラント層１３１は、紙ブランク材２０のうち、製函したときに最も中空空間Ｓ１から離間した層をなす。第２シーラント層１３１を構成する材料としては、第１シーラント層１３６を構成する材料と同様の材料を用いることができる。
【００４６】
（紙層）
紙層１３３は、十分な剛性を紙ブランク材２０に付与するために設けられている。例えば紙層１３３の坪量は、１００ｇ／ｍ２以上となっている。紙層１３３としては、純白ロール紙、クラフト紙、板紙、加工紙、ミルク厚紙等の各種紙材を用いることができる。なお、紙層１３３は、これらの紙材を複数重ねたものであってもよい。
【００４７】
また、図８に示すように、本実施の形態では、紙層１３３と第２シーラント層１３１との間に、絵柄を含む絵柄層１３２が積層されている。図８に示す例では、絵柄層１３２は、紙層１３３の第２シーラント層１３１側を向く面に印刷されている。ここで、絵柄とは、紙層１３３に記録または印刷され得る種々の態様の記録対象のことであり、特に限定されることなく、図、文字、模様、パターン、記号、柄、マーク等を広く含む。とりわけ、飲料食品を内包することが意図されたフランジ付容器１に用いられる紙ブランク材２０では、絵柄として、内容物の図や、内容物の商品名、賞味期限、製造日、製造番号等の情報を示す文字が用いられる。もっとも、絵柄層１３２は、商品の仕様に応じて紙層１３３に積層されるものであり、紙層１３３に絵柄層１３２が設けられなくてもよい。
【００４８】
（バリア層）
上述のように、フランジ付容器１は、飲料食品を内容物として内包することに適した容器である。このため、内容物の酸化等の変質を防止しながら内容物を保存することができるように、図８に示す紙ブランク材２０は、バリア層１３４を備えている。バリア層１３４は、水蒸気の透過を防止する蒸気バリア性及び酸素ガス等のガスの透過を防止するガスバリア性を有している。バリア層１３４は、上記の機能を満たす層であれば特に限定されない。本実施の形態では、バリア層１３４は、紙層１３３に無機物を蒸着させて形成した蒸着膜からなる。バリア層１３４が蒸着膜からなる場合、優れたガスバリア性及び蒸気バリア性をフランジ付容器１をなすようになる紙ブランク材２０に付与することができる。また、蒸着膜は金属箔を含まないため、フランジ付容器１を焼却処分する際に、焼却炉にフランジ付容器１に含まれる金属箔が残渣として残ってしまう、ということも起こり得ない。
【００４９】
紙層１３３に無機物を蒸着させる方法として、減圧下において蒸発させた無機物を紙層１３３に蒸着させる真空蒸着法（ＰＶＤ法）や、減圧下において無機物を含む蒸着用ガスにプラズマを照射して当該無機物を紙層１３３に蒸着させるプラズマ化学気相成長法（ＣＶＤ法）が挙げられる。蒸着させる無機物としては、例えば、シリカ、酸化ケイ素、酸化アルミニウム、酸化マグネシウム等の金属酸化物を用いることができる。
【００５０】
ただし、バリア層１３４の形態は、蒸着膜からなる例に限定されない。バリア層１３４として、金属箔、例えばアルミニウム箔を採用してもよい。アルミニウム箔からなるバリア層１３４によれば、優れた蒸気バリア性及び優れたガスバリア性を紙ブランク材２０に付与することができる。  
【００５１】
（ポリエステル樹脂層）
本実施の形態の紙ブランク材２０は、フランジ付容器１に求められる種々の機能を実現すべく、ポリエステル樹脂層１３５をさらに含んでいる。ポリエステル樹脂層１３５は、熱に対する耐性を紙ブランク材２０に付与する。ポリエステル樹脂層１３５として、例えば、ジカルボン酸とジオールとを重縮合させることにより得られる樹脂等が挙げられる。本実施の形態のポリエステル樹脂層１３５は、芳香族ジカルボン酸としてのテレフタル酸と、ジオールとしてのエチレングリコールとの反応生成物であるポリエチレンテレフタレート（ＰＥＴ）を主成分として含んでいる。
【００５２】
（接合層）
図８に示すように、第２シーラント層１３１と紙層１３３との間、紙層１３３とポリエステル樹脂層１３５との間、及び、ポリエステル樹脂層１３５と第１シーラント層１３６との間に接合層１３７が介在されている。この接合層１３７としては、例えばそれ自体既知のドライラミネート法にて一般に用いられる接着剤を用いることができ、例えば、ポリ酢酸ビニル系接着剤、ポリアクリル酸エステル系接着剤、シアノアクリレート系接着剤、エチレン共重合体系接着剤、セルロース系接着剤、ポリエステル系接着剤、ポリアミド系接着剤、アミノ樹脂系接着剤、エポキシ系接着剤、ポリウレタン系接着剤等を用いることができる。
【００５３】
次に、以上のような構成からなるフランジ付容器材料１０を使用する方法について説明する。
【００５４】
フランジ付容器材料１０を使用する方法は、フランジ付容器材料１０を殺菌する工程と、罫線２８に沿って紙ブランク材２０を折り曲げてフランジ付容器１を作製する工程と、作製されたフランジ付容器１を殺菌する工程と、フランジ付容器１に内容物を充填する工程と、フランジ付容器１の樹脂フランジ部４０に不図示の蓋材を接合させて、当該フランジ付容器１を密閉する工程と、を備える。
【００５５】
具体的には、先ず、無菌化された充填室内で、フランジ付容器材料１０に殺菌剤として例えば過酸化水素を噴霧して、当該過酸化水素の酸化力によってフランジ付容器材料１０を殺菌する。次に、充填室内で、罫線２８に沿って紙ブランク材２０を折り曲げる。これにより、紙ブランク材２０から胴部２と底部３とが区画され、フランジ付容器１が得られる。作製されたフランジ付容器１に殺菌剤として例えば過酸化水素を噴霧して、当該過酸化水素の酸化力によってフランジ付容器１をさらに殺菌する。
【００５６】
その後、充填室内で殺菌処理されたフランジ付容器１に内容物を充填する。充填される内容物として、例えば、乳飲料、果実飲料、アルコール類などの飲料食品が挙げられる。続いて、充填室内で予め殺菌された蓋材をフランジ付容器１の樹脂フランジ部４０の鍔部分４２の表面４２ａに接合させる。これにより、フランジ付容器１が密閉される。
【００５７】
なお、以上の説明では、フランジ付容器１を殺菌する工程、及び、フランジ付容器材料１０を殺菌する工程、のいずれも行う例を示したが、このような例に限定されない。内容物の種類や内容物の保存期限等に応じて、両方の工程を行ってもよいし、少なくとも一方の工程を行ってもよい。
【００５８】
以上のように、本実施の形態によれば、筒状に形成された紙ブランク材２０であって、当該紙ブランク材２０の軸方向ｄ２の一側及び他側にそれぞれ開口２６、２７が形成された紙ブランク材２０と、紙ブランク材２０の一側の開口２６に挿入され、且つ、紙ブランク材２０の軸方向ｄ２と交差する方向に沿って当該紙ブランク材２０から外方に延び出す樹脂フランジ部４０と、を備え、樹脂フランジ部４０は、一側の開口２６を形成する紙ブランク材２０の一方の一縁部２３を覆うようにして紙ブランク材２０に取り付けられており、紙ブランク材２０は、一側の開口２６を形成する胴形成部２１と、他側の開口２７を形成する底形成部２２と、を有し、紙ブランク材２０の底形成部２２には、当該紙ブランク材２０を折り曲げてフランジ付容器１の底部３を形成する際の折曲線となる罫線２８が形成されていて、紙ブランク材２０を罫線２８に沿って折り曲げると、当該紙ブランク材２０が胴部２と底部３とに区画されてフランジ付容器１が形成される。従来の紙ブランク材から作製される容器は、折り返しにて形成された樹脂フランジ部や底部に殺菌剤が到達することができない陰となる部分ができてしまい、容器を充分に殺菌することができなかった。一方、本実施の形態のフランジ付容器材料１０によれば、筒状の紙ブランク材２０と、紙ブランク材２０の一側の開口２６に挿入され、且つ、軸方向ｄ２と交差する方向に沿って当該紙ブランク材２０から外方に延び出した樹脂製の樹脂フランジ部４０と、にて構成されるため、フランジ付容器材料１０に殺菌剤が到達することができない陰となる部分ができ難い。このため、フランジ付容器材料１０を容易且つ充分に殺菌することができる。さらに、殺菌されたフランジ付容器材料１０において、罫線２８に沿って紙ブランク材２０を折り曲げることでフランジ付容器１を作製することができる。作製されたフランジ付容器１に、内容物を充填した後蓋材を接合させれば、当該容器１に内容物を無菌充填することができる。したがって、このようなフランジ付容器材料１０によれば、無菌充填に適した、紙ブランク材２０を用いて作製されるフランジ付容器材料１０が提供される。
【００５９】
また、このようなフランジ付容器材料１０によれば、軸方向ｄ１の一側に開口２６が形成された筒状の胴部２と、筒状の胴部２の軸方向ｄ１の他側から当該胴部２に接続された底部３と、胴部２の一側の開口２６に挿入され、且つ、胴部２の軸方向ｄ１と交差する方向に沿って当該胴部２から外方に延び出す樹脂フランジ部４０と、を備え、樹脂フランジ部４０は、一側の開口２６を形成する胴部２の一方の一縁部２ｃを覆うようにして胴部２に取り付けられており、胴部２と底部３とを形成する紙ブランク材２０には、当該紙ブランク材２０を折り曲げて胴部２と底部３とを区画する際の折曲線となる罫線２８が形成された、フランジ付容器１が得られる。
【００６０】
また、本実施の形態によれば、樹脂フランジ部４０は、紙ブランク材２０と共にインサート成形されて、胴部２に取り付けられている。このような形態によれば、樹脂フランジ部４０と紙ブランク材２０との間に隙間が形成されないように樹脂フランジ部４０を胴部２に取り付けることができる。これにより、樹脂フランジ部４０と胴部２との間に、噴霧される殺菌剤に対して陰となる部分が形成され難くなる。この結果、紙ブランク材２０及び樹脂フランジ部４０をさらに充分に殺菌することができ、無菌充填により適したフランジ付容器１が提供される。
【００６１】
また、本実施の形態によれば、樹脂フランジ部４０は、胴部２の一側の開口２６に挿入され、胴部２の内面２ａに沿った形状をもつ中空の挿入部分４１と、一側の開口２６に挿入された挿入部分４１から胴部２の軸方向ｄ１に直交する方向に延び出して、一側の開口２６を形成する胴部２の一方の一縁部２ｃを覆う鍔部分４２と、を有する。このような形態によれば、噴霧される殺菌剤に対して陰となる部分が形成されないように樹脂フランジ部４０を構成することができる。この結果、フランジ付容器１をさらに充分に殺菌することができ、無菌充填により適したフランジ付容器１が提供される。
【００６２】
加えて、本実施の形態によれば、樹脂フランジ部４０の挿入部分４１の内面４１ａは、胴部２の軸方向ｄ１に沿って成形されている。樹脂フランジ部４０と紙ブランク材２０とは、成形型内でインサート成形された後、当該成形型から抜き取られることによって得られる。挿入部分４１の内面４１ａが胴部２の軸方向ｄ１に沿って成形されていることにより、樹脂フランジ部４０の挿入部分４１を成形型に引っかからないように抜き取ることができる。このため、一体となった樹脂フランジ部４０と紙ブランク材２０とを成形型から容易に抜き取ることができる。
【００６３】
また、本実施の形態によれば、紙ブランク材２０は、当該紙ブランク材２０の２つの端部領域Ｅ１、Ｅ２を重ね合わせて接合することにより筒状に形成され、２つの端部領域Ｅ１、Ｅ２のうち、紙ブランク材２０が筒状に形成された状態において内方側に位置するようになる端部領域Ｅ１の少なくとも一部は、外方側に折り返されており、端部領域Ｅ１の折り返された部分Ｅ１ａは、折り返された状態で内側となる面Ｅ１ａ１が削り取られて他の部分よりも薄くなっている。このようなスカイブ処理によれば、周方向に重ね合わせて接合された紙ブランク材２０の２つの端部領域Ｅ１、Ｅ２の間に、噴霧される殺菌剤に対して陰となる部分が形成され難くなる。この結果、フランジ付容器１をさらに充分に殺菌することができ、無菌充填により適したフランジ付容器１が提供される。
【００６４】
また、本実施の形態によれば、底部３の内面３ａ側に紙ブランク材２０の縁部２３〜２５ｂが露出していない。この場合、底部３の内面３ａを充分に殺菌することができ、無菌充填により適したフランジ付容器１が提供される。
【００６５】
また、本実施の形態によれば、筒状の紙ブランク材２０は、当該紙ブランク材２０の軸方向ｄ２に沿って一側から他側へ向けて先細になっていく。このような形態によれば、複数のフランジ付容器材料１０を積み重ねたときに、一のフランジ付容器材料１０の他縁部２４側を、下方に積み重ねられたフランジ付容器材料１０の中空空間Ｓ１に挿入することができる。このため、複数のフランジ付容器材料１０をコンパクト且つ安定して積み重ねることができ、保管や持ち運びの点で優れている。なお、このような複数のフランジ付容器材料１０を積み重ねた例が、図９に示されている。
【００６６】
また、本実施の形態の無菌充填されたフランジ付容器を製造する方法は、罫線２８に沿って紙ブランク材２０を折り曲げて、胴部２と底部３とを紙ブランク材２０から形成してフランジ付容器１を作製する工程と、フランジ付容器１に内容物を充填する工程と、フランジ付容器１の樹脂フランジ部４０に蓋材を接合させて、当該フランジ付容器１を密閉する工程と、を備え、内容物を充填する工程に先立ってフランジ付容器１を殺菌する工程、及び、フランジ付容器１を作製する工程に先立ってフランジ付容器材料１０を殺菌する工程、の少なくとも一方をさらに備える。このような方法によれば、フランジ付容器材料１０から作製されるフランジ付容器１に液状物を無菌充填することができる。
【００６７】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６８】
上述した第１の実施の形態では、図７に示すように、形成される底部３をフラットボトム型に折り曲げるべく、紙ブランク材２０に罫線２８を形成した例を示したが、罫線２８の形態は、上述した形態に限定されない。図１０及び図１１に、罫線２８の他の形態を示し、図１２乃至図１４に、罫線２８のさらに他の形態を示す。このうち、図１０及び図１１に示す例では、紙ブランク材２０に形成された罫線２８は、いわゆるゲーブルトップ型と同様な形状に形成されている。このタイプの罫線２８は、例えばいわゆるブリックタイプの容器で採用されている。
【００６９】
図１０に示すように、紙ブランク材２０の底形成部２２には、側縁部２５ａ側から側縁部２５ｂ側に向かって、第１折曲面領域３４、第１主面領域３２、第２折曲面領域３５及び第２主面領域３３がこの順で配置され、隣り合う領域３２〜３５が縦罫線２８ａによって区画されている。各領域３２〜３５は、製函したときに胴部２と底部３とを区画する折曲線を形成するよう、紙ブランク材２０の周方向となるべき方向に延びる横罫線２８ｂによって、紙ブランク材２０の胴形成部２１から区画されている。さらに、各領域３２〜３５には、横罫線２８ｂと他縁部２４との間で、当該他縁部２４に沿って延びる横補助罫線２８ｄが設けられている。また、各折曲面領域３４、３５には、製函したときに当該折曲面領域３４、３５を山折りに折り畳むべく、一縁部２３側から他縁部２４側に向かって先細になるＶ字状のＶ罫線２８ｃが形成されている。Ｖ罫線２８ｃの頂点は、横補助罫線２８ｄ上に位置し、当該頂点から他縁部２４まで延びる縦補助罫線２８ｅがさらに設けられている。
【００７０】
このような紙ブランク材２０によれば、先ず、紙ブランク材２０の２つの端部領域Ｅ１、Ｅ２を周方向に重ね合わせて接合し、紙ブランク材２０を筒状に形成する。次に、図１１に示すように、筒状の紙ブランク材２０を折り目がつかない程度に平坦状にし、紙ブランク材２０の重なり合う他縁部２４の近傍の領域をヒートシールする。これにより、第１主面領域３２と第２主面領域３３とが対面し、これらの他縁部２４の近傍の領域が接合される。同時に、第１折曲面領域３４が縦補助罫線２８ｅから折り返されて第１折曲面領域３４のうちの重なり合う他縁部２４近傍の領域が互いにヒートシールされると共に、第２折曲面領域３５が縦補助罫線２８ｅから折り返されて第２折曲面領域３５のうちの重なり合う他縁部２４近傍の領域が互いにヒートシールされる。次に、各領域３２〜３５の他縁部２４近傍のヒートシールされた領域を、横補助罫線２８ｄから谷折りまたは山折りして折り畳む。続いて、平坦状にされた紙ブランク材２０を筒状に復元する。これにより、第１主面領域３２及び第２主面領域３３が横罫線２８ｂから山折りされると共に、第１折曲面領域３４及び第２折曲面領域３５がＶ罫線２８ｃから山折りされる。その後、Ｖ罫線２８ｃに沿って山折りされた第１折曲面領域３４及び第２折曲面領域３５を横罫線２８ｂから山折りして、第１主面領域３２及び第２主面領域３３に折り重ねる。折り重ねられた第１折曲面領域３４及び第２折曲面領域３５を、第１主面領域３２及び第２主面領域３３にヒートシールすることにより、図１２に示すフランジ付容器１の底部３を得ることができる。
【００７１】
一方、図１３には、底部３を図４に示すようなフラットボトム型に折り曲げる罫線２８の他の例が示されている。図１３に示す紙ブランク材２０は、図７に示す紙ブランク材２０において、隣り合う縦補助罫線２８ｅの間となる紙ブランク材２０の領域に２つの切り欠き３６を形成した例に対応している。
【００７２】
図１３に示すように、紙ブランク材２０の底形成部２２には、側縁部２５ａ側から側縁部２５ｂ側に向かって、第１折曲面領域３４、第１主面領域３２、第２折曲面領域３５及び第２主面領域３３がこの順で配置され、隣り合う領域３２〜３５が縦罫線２８ａによって区画されている。各領域３２〜３５は、製函したときに胴部２と底部３とを区画する折曲線を形成するよう、筒状の紙ブランク材２０の周方向となるべき方向に延びる横罫線２８ｂによって、紙ブランク材２０の胴形成部２１から区画されている。また、各折曲面領域３４、３５には、製函したときに当該折曲面領域３４、３５を谷折りに折り畳むべく、一縁部２３側から他縁部２４側に向かって先細になるＶ字状のＶ罫線２８ｃと、Ｖ罫線２８ｃの頂点から他縁部２４まで延びる縦補助罫線２８ｅと、が形成されている。
【００７３】
さらに、隣り合う縦補助罫線２８ｅの間となる紙ブランク材２０の領域に２つの切り欠き３６が互いに間隔を空けて形成されている。一方の切り欠き３６は、第１折曲面領域３４と第１主面領域３２とに跨いで形成され、他方の切り欠き３６は、第１主面領域３２と第２折曲面領域３５とに跨いで形成されている。２つの切り欠き３６の間を他縁部２４と平行に延びる第２横補助罫線２８ｆが形成されている。２つの切り欠き３６と横補助罫線２８ｄとにより囲まれる領域に摘まみ領域３２ａが規定されている。
【００７４】
また、第１折曲面領域３４のＶ罫線２８ｃの頂点から切り欠き３６まで他縁部２４と平行に延びる横補助罫線２８ｄが形成されている。第１折曲面領域３４のうち、一方の切り欠き３６と横補助罫線２８ｄと縦補助罫線２８ｅとにより囲まれる領域に、第１補助摘まみ領域３４ａが規定されている。同様に、第２折曲面領域３５のＶ罫線２８ｃの頂点から切り欠き３６まで他縁部２４と平行に延びる横補助罫線２８ｄが形成されている。第２折曲面領域３５のうち、他方の切り欠き３６と横補助罫線２８ｄと縦補助罫線２８ｅとにより囲まれる領域に、第２補助摘まみ領域３５ａが規定されている。
【００７５】
このような紙ブランク材２０によれば、先ず、紙ブランク材２０の２つの端部領域Ｅ１、Ｅ２を周方向に重ね合わせて接合し、紙ブランク材２０を筒状に形成する。次に、第１折曲面領域３４及び第２折曲面領域３５を横罫線２８ｂから山折りすると共に、Ｖ罫線２８ｃ及び縦補助罫線２８ｅから谷折りする。続いて、図１４に示すように、第１主面領域３２及び第２主面領域３３を横罫線２８ｂから山折りして、第１主面領域３２の摘まみ領域３７、第１折曲面領域３４の第１補助摘まみ領域３４ａ、第２折曲面領域３５の第２補助摘まみ領域３５ａ及び第２主面領域３３の他縁部２４近傍の領域を互いに重ね合わせる。その後、第１主面領域３２の摘まみ領域３２ａを第２横補助罫線２８ｆから谷折りすると共に、第２主面領域３３を第１主面領域３２に重なるように折り畳む。この状態で各領域３２〜３５をヒートシールする。これにより、図１５に示すフラットボトム型のフランジ付容器１の底部３を得ることができる。
【００７６】
なお、図１０または図１３に示す紙ブランク材２０を罫線２８に沿って折り曲げる手順は、一例であって、他の手順を採用することも可能である。同様に、上述した図７に示す紙ブランク材２０を罫線２８に沿って折り曲げる手順は、一例であって、他の手順を採用することも可能である。
【符号の説明】
【００７７】
１    フランジ付容器
２    底部
３    胴部
１０  フランジ付容器材料
２０  紙ブランク材
２０ａ  内面
２０ｂ  外面
２１  胴形成部
２２  底形成部
２３  一縁部
２４  他縁部
２６  一側の開口
２７  他側の開口
２８  罫線
３０  紙ブランク材
４０  樹脂フランジ部
４１  挿入部分
４１ａ  内面
４１ｂ  外面
４２  鍔部分
１３１  第１シーラント層
１３３  紙層
１３４  バリア層
１３６  第２シーラント層
Ｅ１、Ｅ２  端部領域
ｄ１  軸方向
【図１】
2015214368.tif 000003
【図２】
2015214368.tif 000004
【図３】
2015214368.tif 000005
【図４】
2015214368.tif 000006
【図５】
2015214368.tif 000007
【図６】
2015214368.tif 000008
【図７】
2015214368.tif 000009
【図８】
2015214368.tif 000010
【図９】
2015214368.tif 000011
【図１０】
2015214368.tif 000012
【図１１】
2015214368.tif 000013
【図１２】
2015214368.tif 000014
【図１３】
2015214368.tif 000015
【図１４】
2015214368.tif 000016
【図１５】
2015214368.tif 000017